(57)【要約】  ラウドスピーカ装置は、互いの機械的振動が打ち消しあうように、互いに逆の関係で同軸上に配置された第１および第２の振動板（１２，１４）を備える。各振動板は複数のボイスコイルを備え、第１および第２の振動板（１２，１４）のボイスコイルは、ラウドスピーカ装置の高さを低くするために同一平面に配置される。【選択図】  図１
2021501506.tif 000002
【特許請求の範囲】
【請求項１】
互いに逆の関係で同軸に配置された第１および第２の振動板（１２，１４）であって、それぞれの振動板に複数のモータ（３０，３０’）が動作可能に接続された第１および第２の振動板（１２，１４）を備え、前記第１および第２の振動板（１２，１４）の前記複数のモータ（３０，３０’）が同一平面上に配置される、ラウドスピーカ装置。
【請求項２】
第１および第２の端部（２０，２４）を有するフレーム（１６）をさらに備え、前記第１の振動板（１２）が、前記フレーム（１６）の前記第１の端部（２０）の近傍に配置され、前記第２の振動板（１４）が、前記フレーム（１６）の前記第２の端部（２４）の近傍に配置され、前記第１および第２の振動板（１２，１４）の前記複数のモータ（３０，３０’）が、前記フレーム（１６）上に設けられる、請求項１に記載のラウドスピーカ装置。
【請求項３】
前記フレーム（１６）が、前記第１および第２の端部（２０，２４）にそれぞれ設けられた第１および第２のリム（１８，２２）を備え、前記第１の振動板（１２）が、第１の囲繞部を介して前記第１のリム（１８）に取り付けられ、前記第２の振動板（１４）が、第２の囲繞部を介して前記第２のリム（２２）に取り付けられる、請求項２に記載のラウドスピーカ装置。
【請求項４】
前記フレーム（１６）が、前記第１の端部（２０）よりも前記第２の端部（２４）の近くに設けられた第１の支持部材（２８）と、前記第２の端部（２４）よりも前記第１の端部（２０）の近くに設けられた第２の支持部材（３８）と、をさらに備え、前記第１の振動板（１２）の前記複数のモータ（３０）が前記第１の支持部材（２８）に設けられ、前記第２の振動板（１４）の前記複数のモータ（３０’）が前記第２の支持部材（３８）に設けられる、請求項３に記載のラウドスピーカ装置。
【請求項５】
前記フレーム（１６）が、前記第１および第２の支持部材（２８，３８）の間に延在する補強部材（４０）をさらに備える、請求項４に記載のラウドスピーカ装置。
【請求項６】
前記フレーム（１６）が、前記第１および第２のリム（１８，２２）の間に延在する複数の支柱（２６）をさらに備え、前記第１および第２の支持部材（２８，３８）が、前記複数の支柱（２６）の間に延在する、請求項４または５に記載のラウドスピーカ装置。
【請求項７】
前記第１および第２の振動板（１２，１４）の前記複数のモータ（３０，３０’）が交互に配置されるように、前記第１および第２の支持部材（２８，３８）が互いに回転方向にずれて配置される、請求項４〜６のいずれか一項に記載のラウドスピーカ装置。
【請求項８】
各モータ（３０，３０’）が、磁石（３２，３２’）と、巻型（３６，３６’）上に設けられたボイスコイル（３４，３４’）とを備え、各モータ（３０，３０’）の前記巻型（３６，３６’）が、対応する前記振動板（１２，１４）に取り付けられる、請求項４〜７のいずれか一項に記載のラウドスピーカ装置。
【請求項９】
各モータ（３０，３０’）が、磁石（３２，３２’）と、巻型なしで形成されたボイスコイル（３４，３４’）とを備え、各モータ（３０，３０’）の前記ボイスコイル（３４，３４’）が、対応する前記振動板（１２，１４）に取り付けられる、請求項４〜７のいずれか一項に記載のラウドスピーカ装置。
【請求項１０】
前記複数のモータ（３０，３０’）が、前記第１および第２の振動板（１２，１４）の外周の周りで、前記フレーム（１６）に設けられている、請求項３に記載のラウドスピーカ装置。
【請求項１１】
前記フレーム（１６）が、前記第１および第２のリム（１８，２２）の間に延在する複数の支柱（２２６）をさらに備え、前記複数のモータ（３０，３０’）が前記複数の支柱（２２６）上に設けられる、請求項３または１０に記載のラウドスピーカ装置。
【請求項１２】
各モータ（２３０，２３０’）が、磁石と、巻型（２３６，２３６’）上に設けられたボイスコイルとを備え、各モータ（２３０，２３０’）が、前記振動板（２１２，２２４）と前記巻型（２３６，２３６）との間に延在するブラケット（２６０，２６０’）により、対応する前記振動板（２１２，２１４）に取り付けられる、請求項１１に記載のラウドスピーカ装置。
【請求項１３】
各モータ（２３０，２３０’）が、磁石と、巻型なしで形成されたボイスコイルとを備え、各モータの前記ボイスコイルが、対応する前記振動板に取り付けられる、請求項１１に記載のラウドスピーカ装置。
【請求項１４】
前記第１および第２の振動板（２１２，２１４）の前記複数のモータ（２３０，２３０’）が交互に配置される、請求項１０〜１３のいずれか一項に記載のラウドスピーカ装置。
【請求項１５】
背面側容積（１５）が前記第１および第２の振動板（１２，１４）の間に画定され、前記第１および第２の振動板（１２，１４）が前記背面側容積（１５）を共有する、請求項１〜１４のいずれか一項に記載のラウドスピーカ装置。
【請求項１６】
各振動板（１１２，１１４）の最大振幅が、前記ラウドスピーカ装置の貫通方向寸法即ち高さの１／３に相当する、請求項１〜１５のいずれか一項に記載のラウドスピーカ装置。
【請求項１７】
前記装置が、前記第１および第２の振動板（１２，１４）の前記複数のモータ（３０，３０’）の貫通方向高さに対応する貫通方向高さを有する、請求項１〜１６のいずれか一項に記載のラウドスピーカ装置。
【請求項１８】
前記装置が、前記振動板（１２，１４）および取り付けられた複数のモータ（３０，３０’）の貫通方向寸法の１．２５倍以下の貫通方向寸法を有する、請求項１〜１７のいずれか一項に記載のラウドスピーカ装置。
【発明の詳細な説明】
【技術分野】
【０００１】
[0001]本発明は、ラウドスピーカ装置に関し、特に、低寸法ラウドスピーカ装置に関する。
【背景技術】
【０００２】
[0002]ラウドスピーカの開発として最重要なのは、ラウドスピーカの高出力化、小型化を図ることである。そのために効率とコストを犠牲にしないことが好ましい。ラウドスピーカは、ドライバおよび筐体のサイズに対して、最大音圧レベルが比較的高く、例えば１００Ｈｚ未満などの低周波数を余裕をもって再生できれば、高出力であるとみなされる。
【０００３】
[0003]コンパクトなラウドスピーカシステムは、多くの場合軽量である。軽量筐体内で、ラウドスピーカの振動板の振幅が大きいと、望ましくない機械的振動が生じ得る。１つの解決策として、既存のドライバとは反対側を向く、第２のドライバを追加することが挙げられる。この構成は、両側２ドライバキャンセレーション（ｄｕａｌ，ｏｐｐｏｓｉｎｇ  ｄｒｉｖｅｒ  ｃａｎｃｅｌｌａｔｉｏｎ；ＤＯＤＣ）と呼ばれることもある。ＤＯＤＣの利点として、２つのドライバそれぞれからの機械的振動が互いに打ち消しあうことが挙げられる。ＤＯＤＣの欠点として、２つのドライバが互いに背中合わせに配置されているため、筐体の大きさが少なくとも倍増してしまうことが挙げられる。このような筐体な大型化は、コンパクトなラウドスピーカシステムについては好ましくない。
【０００４】
[0004]米国特許第９，６０９，４０５号明細書に代替の両側ドライバ構成が記載されている。ここでは、複数のドライバが同一横方向平面に並んで配置され、第１の組のドライバは一方向を向き、第２の組のドライバは反対方向を向いている。これにより、これら２組のドライバそれぞれからの力が互いに打ち消しあう。米国特許第９，６０９，４０５号明細書に記載されている構成は、横方向平面に各ドライバ組を配置することにより、ドライバが１つの場合に匹敵するような、短い貫通方向寸法、即ち低い高さを実現する。ただし、ドライバの使用中に、振動、および／または力のモーメントを避けるように、各ドライバは「ＡＢＢＡ」構成となる必要がある。したがって、貫通方向寸法が短くなる代わりに、横方向寸法が長くなってしまう。
【発明の概要】
【０００５】
[0005]本開示の一態様によると、互いに逆の関係で、同軸に配置された第１および第２の振動板であって、それぞれの振動板に複数のモータが動作可能に接続された第１および第２の振動板を備え、第１および第２の振動板のモータは同一平面上に配置される、ラウドスピーカ装置が提供される。
【０００６】
[0006]ラウドスピーカ装置はさらに、第１および第２の端部を有するフレームをさらに備え、第１の振動板（１２）が、フレーム第１の端部の近傍に配置され、第２の振動板が、フレームの第２の端部の近傍に配置され、第１および第２の振動板のモータが、フレーム上に設けられてもよい。
【０００７】
[0007]フレームが、第１および第２の端部にそれぞれ設けられた第１および第２のリムを備え、第１の振動板（１２）が、第１の囲繞部を介して第１のリムに取り付けられ、第２の振動板が、第２の囲繞部を介して第２のリムに取り付けられてもよい。
【０００８】
[0008]本開示の実施形態では、フレームが、第１の端部よりも第２の端部の近くに設けられた第１の支持部材と、第２の端部よりも第１の端部の近くに設けられた第２の支持部材と、をさらに備え、第１の振動板（１２）のモータが第１の支持部材に設けられ、第２の振動板のモータが第２の支持部材に設けられてもよい。
【０００９】
[0009]フレームが、第１の支持部材と第２の支持部材との間に延在する補強部材をさらに備えてもよい。
【００１０】
[0010]フレームが、第１および第２のリムの間に延在する複数の支柱をさらに備え、第１および第２の支持部材が、支柱の間に延在してもよい。
【００１１】
[0011]第１および第２の振動板のモータが交互に配置されるように、第１および第２の支持部材が互いに回転方向にずれて配置されてもよい。
【００１２】
[0012]モータがそれぞれ、巻型上に設けられた磁石およびボイスコイルを備え、各モータの巻型が、振動板の内の対応するものに取り付けられてもよい。あるいは、モータがそれぞれ、磁石と、巻型なしで形成されたボイスコイルとを備え、モータそれぞれのボイスコイルが、振動板の内の対応するものに取り付けられてもよい。
【００１３】
[0013]本開示の他の実施形態では、モータが、第１および第２の振動板の外周の周りのフレーム上に設けられてもよい。フレームが、第１および第２のリムの間に延在する複数の支柱をさらに備え、モータが、支柱上に設けられてもよい。
【００１４】
[0014]モータがそれぞれ、巻型上に設けられた磁石およびボイスコイルを備え、各モータが、振動板と、巻型との間に延在するブラケットにより、振動板の内の対応するものに取り付けられてもよい。あるいは、モータがそれぞれ、磁石と、巻型なしで形成されたボイスコイルとを備え、各モータが、振動板と、ボイスコイルとの間に延在するブラケットにより、振動板の内の対応するものに取り付けられてもよい。
【００１５】
[0015]第１および第２の振動板のモータは、交互に配置されてもよい。
【００１６】
[0016]背面側容積が、第１および第２の振動板の間に画定され、第１および第２の振動板が、背面側容積を共有してもよい。
【００１７】
[0017]本開示の実施形態において、振動板それぞれの最大振幅が、ラウドスピーカ装置の貫通方向寸法即ち高さの１／３に相当してもよい。
【００１８】
[0018]本開示の実施形態において、装置が、第１および第２の振動板のモータの貫通方向高さに対応する貫通方向高さを有してもよい。好ましくは、装置が、振動板および取り付けられたモータの貫通方向寸法の１．２５倍以下の貫通方向寸法を有する。
【００１９】
[0019]この開示の他の特徴および態様は、以下の説明および添付の図面から明らかになるであろう。
【００２０】
[0020]次に、本開示の実施形態を、以下の添付の図面を参照して説明する。
【図面の簡単な説明】
【００２１】
【図１Ａ】本開示の第１の実施形態に係るラウドスピーカ装置の斜視図を示す。
【図１Ｂ】図１Ａのラウドスピーカ装置の側断面図を示す。
【図２Ａ】本開示の第２の実施形態に係るラウドスピーカ装置の斜視図を示す。
【図２Ｂ】図２Ａのラウドスピーカ装置の斜視図であって、横方向に沿った断面を示す。
【図２Ｃ】図２Ａのラウドスピーカ装置の側断面図を示す。
【図３Ａ】本開示の第３の実施形態に係るラウドスピーカ装置の斜視図を示す。
【図３Ｂ】図３Ａのラウドスピーカ装置の側断面図を示す。
【図４Ａ】本開示の第４の実施形態に係るラウドスピーカ装置の斜視図を示す。
【図４Ｂ】図４Ａのラウドスピーカ装置の側断面図を示す。
【発明を実施するための形態】
【００２２】
[0030]次に、具体的実施形態または特徴を詳細に説明する。それらの例は、添付の図面に示されている。全図面にわたって、同じまたは対応する部位について、可能な限り対応するまたは同様の参照符号を使用する。
【００２３】
[0031]図１Ａおよび図１Ｂを参照すると、本開示の第１の実施形態に係るラウドスピーカ装置１０が示されている。ラウドスピーカ装置１０は、互いに逆の関係で、同軸上に配置された第１の振動板１２および第２の振動板１４を備える。本実施形態の振動板１２，１４は、平坦な円形構成を有する。本開示の実施形態では、振動板の他の構成を使用することが可能だが、ラウドスピーカ装置１０の寸法を抑えるために、平坦な構成が好ましい。背面側容積１５が、第１および第２の振動板１２，１４の間に画定され、したがって、第１および第２の振動板は、背面側容積１５を共有する。
【００２４】
[0032]ラウドスピーカ装置１０は、フレーム１６の第１の端部２０に設けられた第１のリム１８と、フレーム１６の第２の端部２４に設けられた第２のリム２２とを有するフレーム１６をさらに備える。第１および第２のリム１８，２２は、振動板１２，１４の構成に合わせて円形である。第１の振動板１２は、フレーム１６の第１の端部２０近傍に設けられ、第２の振動板１４は、フレーム１６の第２の端部２４近傍に設けられる。図１Ａおよび図１Ｂでは不図示だが、第１の振動板１２は、第１の囲繞部（図示せず）を介して第１のリム１８に取り付けられ、第２の振動板１４は、第２の囲繞部（図示せず）を介して第２のリム２２に取り付けられ得る。
【００２５】
[0033]複数の支柱２６が、第１のリム１８と第２のリム２２との間に延在する。図１Ａおよび図１Ｂでは、４本の支柱２６が、第１および第２のリム１８，２２の外周において、等間隔で設けられている。ただし、別の実施形態では、使用される支柱の数はこれよりも多くてもよい。
【００２６】
[0034]フレーム１６は、リム１８，２２における互いに反対側に位置する２つの支柱２６の間で、横方向に延在する第１の支持部材２８をさらに備える。第１の支持部材２８は、第１の端部２０よりも第２の端部２４の近くに設けられる。したがって、第１の支持部材２８は、第１の振動板１２から離間する。
【００２７】
[0035]第１の振動板１２には、複数のモータ３０が動作可能に接続されている。モータ３０は、フレーム１６上に設けられる。図１Ａおよび図１Ｂに示す実施形態では、第１の支持部材２８上に、２つのモータ３０が互いに離間して設けられている。各モータ３０は、第１の支持部材２８に取り付けられた磁石３２と、巻型３６上に設けられたボイスコイル３４とを備える。各モータ３０の巻型３６は、第１の振動板１２に取り付けられている。
【００２８】
[0036]フレーム１６は、リム１８，２２における互いに反対側に位置する、別の２つの支柱２６の間で、横方向に延在する第２の支持部材３８をさらに備える。第２の支持部材３８は、第２の端部２４よりも第１の端部２０の近くに設けられる。したがって、第２の支持部材３８は、第２の振動板１４から離間する。
【００２９】
[0037]第２の振動板１４には、複数のモータ３０’が動作可能に接続されている。モータ３０’も、フレーム１６上に設けられている。図１Ａおよび図１Ｂに示す実施形態では、第２の支持部材３８上に、２つのモータ３０’が互いに離間して設けられている。各モータ３０’は、第２の支持部材３８に取り付けられた磁石３２’と、巻型３６’上に設けられたボイスコイル３４’とを備える。各モータ３０’の巻型３６’は、第２の振動板１４に取り付けられている。本開示の代替的実施形態では、ボイスコイルは、巻型なしボイスコイル（ｆｏｒｍｅｒｌｅｓｓ  ｖｏｉｃｅ  ｃｏｉｌ）またはエアコイルとしても知られるように、巻型なしで形成されてもよい。その場合、ボイスコイルは、振動板１２，１４に直接取り付けられる。巻型なしボイスコイルは、当業者に知られている任意の適切な方法で作製することができる。その例として、コーティングされたワイヤからボイスコイルを形成し、次にボイスコイルを焼き付けて、ボイスコイル内の隣接するワイヤ上のコーティング同士が融着するようにすることが挙げられる。即ち、ボイスコイルを形成するために使用されるワイヤ上の接着剤コーティングが使用される。ただし、別の接着剤も使用され得る。別の代替的実施形態では、コイルは、巻型を介して、または直接、膜に物理的に接続される。即ち、膜を（巻型または他の構造を介して）押し付けるコイルの直接の物理的駆動が存在する。したがって、その後に膜は空気圧と物理的実体、つまり膜に押し付けられるコイルにより駆動される。
【００３０】
[0038]モータ３０，３０’のボイスコイル３４，３４’は、直列または並列に巻かれてもよく、または各振動板に３つ以上のモータが提供されるようにそれらが組み合わされてもよい。モータ３０，３０’の磁石３２，３２’は、当業者に知られている任意の適切な種類であってもよい。ただし、ネオジム磁石のような希土類磁石が、その高い磁束密度のため、好ましい。
【００３１】
[0039]第１の支持部材２８は第２の端部２４に近く、第２の支持部材３８は第１の端部２０に近いので、第１および第２の支持部材２８，３８は貫通方向に離間している。第１および第２の支持部材２８，３８は、互いに回転方向にずれている。図１Ａおよび図１Ｂに示す実施形態では、第１および第２の支持部材２８，３８は、互いに９０度回転される。その結果、モータ３０，３０’は、交互に配置される。この構成により、第１および第２の振動板１２，１４のモータ３０，３０’が同横方向平面に配置され、ラウドスピーカ装置１６の貫通方向寸法、即ち高さを低減する。例えば、図１Ａおよび図１Ｂに示されるラウドスピーカ装置１０を使用するラウドスピーカシステムは、貫通方向寸法が、単一ドライバシステムの寸法と比較して１．２５倍であるが、従来技術の両側ドライバシステムだと、単一ドライバシステムの寸法の倍の貫通方向寸法となる。さらに、ラウドスピーカ装置１０は、それらの振動板が同軸に整列しているので、単一ドライバシステムと比較して、横方向寸法が増加しない。さらに、それらの振動板は逆に配置されているので、使用中の振動板１２，１４の動きによる機械的振動はそれぞれ打ち消しあう。
【００３２】
[0040]フレーム１６は、第１の支持部材２８と第２の支持部材３８との間に延在する補強部材４０をさらに備えてもよい。補強部材４０は、第１および第２の支持部材２８，３８の中点間で延在してもよい。本開示の別の実施形態では、フレームは、ラウドスピーカ装置用の筐体などのより大きな構造の全体または一部と一体的に形成されてもよい。
【００３３】
[0041]振動板１２，１４に複数の個別のモータ３０，３０’を使用すると、振動板の移動効率が向上し、小さな閉鎖型キャビネットで低い周波数を再生可能となる。さらに、各振動板に複数のモータを取り付けると、直線性と振動板の剛性が向上し得る。これらは、低周波再生ラウドスピーカシステムで一般的に使用される高振幅ドライバに関して重要である。
【００３４】
[0042]図２Ａから図２Ｃを参照すると、本開示の第２の実施形態に係るラウドスピーカ装置１００が示されている。ラウドスピーカ装置１００は、全体的形態がラウドスピーカ装置１０と同一であり、１００を足した同様の参照符号により、同様の部位を示す。
【００３５】
[0043]ラウドスピーカ装置１００の第１の振動板１１２は、第１の囲繞部１１７を介して第１のリム１１８に取り付けられる。ラウドスピーカ装置１００の第２の振動板１１４は、第２の囲繞部１１７’を介して第２のリム１２２に取り付けられる。
【００３６】
[0044]ラウドスピーカ装置１００は、ラウドスピーカ装置１００の各振動板１１２，１１４がそれぞれ３つのモータ１３０，１３０’を有するという点でラウドスピーカ装置１０と異なる。
【００３７】
[0045]図２Ｂに示されるように、支持部材１２８，１３８はそれぞれ、互いに１２０度間隔配置され、外側支持リム１５２に接続された３つのアーム１５０を備える。第１および第２の振動板１１２，１１４の６つのモータ１３０，１３０’が同位置横方向平面の周りに交互に配置されるように、各アーム１５０に１つのモータ１３０，１３０’が取り付けられている。
【００３８】
[0046]図２Ａから２Ｃに示されるモータ１３０，１３０’は、図１Ａおよび１Ｂに示されるモータ３０，３０’よりも長い。これにより、振動板１１２，１１４の振幅をより大きくでき、ラウドスピーカ装置１００の低周波再生がさらに向上する。より大きい振幅を実現するために当業者に知られている適切なモータ構成（例えば、より長い磁石または複数の磁石、より長いボイスコイル、または複数の巻線を有するボイスコイル）を使用することができる。同じ横方向平面にモータ１３０，１３０’を配置することにより、各振動板の振幅を、最大でラウドスピーカ装置の貫通方向寸法、即ち高さの１／３にまですることができる。
【００３９】
[0047]図３Ａおよび図３Ｂを参照すると、本開示の第３の実施形態に係るラウドスピーカ装置２００が示されている。１００を足した同様の参照番号により、図２Ａから２Ｃに示されるものと同様の部位が示される。
【００４０】
[0048]ラウドスピーカ装置２００の振動板２１２，２１４は、形状が四角形である。振動板２１４は、横方向平面内で、振動板２１２に対して９０度回転される。したがって、図３Ａに示すように両振動板により十字または「＋」が形成される。このような配置により、振動板間の利用可能な空間を増大し得る。別の実施形態では、振動板２１２，２１４は、他の形状で形成されてもよく、互いに整列してもよく、または横方向平面内で別の角度で回転されてもよい。
【００４１】
[0049]ラウドスピーカ装置２００のフレーム２１６は、支持部材が省略されている点で、図２Ａから２Ｃに示すフレーム１１６とは異なる。さらに、フレーム２１６の第１および第２のリム２１８，２２２は四角形であり（図３Ａに示されるように正方形であってもよい）、取り付け板として機能するように、振動板の先に、横方向に延在する。
【００４２】
[0050]モータが振動板の下に設けられている上述の実施形態とは異なり、ラウドスピーカ装置２００のモータ２３０，２３０’は、第１および第２の振動板２１８，２２２の外周の周りに設けられる。モータ２３０，２３０’は、上述の実施形態のように支持部材上に設けられるのではなく、第１のリム２１８と第２のリム２２２との間に延在する支柱２２６上に設けられる。振動板の外周の周りにモータ２３０，２３０’を配置することで、ラウドスピーカ装置の貫通方向寸法がさらに低減し得る。
【００４３】
[0051]モータ２３０，２３０’を振動板の下ではなく、振動板２１２，２１４の外周の周りに配置することにより、振動板２１２，２１４をより互いに近づけて配置できる。使用中に、振動板が移動する際に、それらと衝突または交差するような物体（即ち、ボイスコイル、サスペンション、磁石、取り付けプレート等）が存在しないためである。上述の実施形態で説明したように振動板の下にモータを設ける場合、モータのサイズと、使用中に振動板の振幅を可能とするためのモータと振動板の間の自由空間の必要性（振動板をモータに衝突しないようにするため）によって、ラウドスピーカ装置の貫通方向寸法が結局制限されることとなる。ラウドスピーカ装置２００では、モータ２３０，２３０’は、振動板２１２，２１４の外周に設けられ、いくつかの実施形態では、外周に対して間隔をあけてもよい。したがって、振動板がモータと衝突しないため、使用中の振動板の振幅を可能にするために、モータ２３０，２３０’と振動板２１２，２１４との間に、貫通方向の自由空間を設ける必要がない。その結果、ラウドスピーカ装置２００の貫通方向寸法は、モータのサイズによって制限され、単一ドライバのラウドスピーカシステムと同等の貫通方向寸法となり得る。
【００４４】
[0052]各モータ２３０，２３０’の巻型２３６，２３６’は、それぞれ、振動板２１２，２１４と巻型２３６，２３６’との間に延在するブラケット２６０，２６０’を介して、振動板２１２，２１４の内の対応するものに取り付けられる。
【００４５】
[0053]図４Ａおよび図４Ｂを参照すると、本開示の第４の実施形態に係るラウドスピーカ装置３００が示されている。ラウドスピーカ装置３００は、全体的形態がラウドスピーカ装置２００と同一であり、同様の参照番号は、１００を足した同様の参照符号により、同様の部位を示す。
【００４６】
[0054]ラウドスピーカ装置３００のブラケット３６０，３６０’は、それぞれ振動板３１２，３１４に取り付けられる鍔部３６２，３６２’と一体に形成される。図４Ａおよび４Ｂに示される実施形態では、ブラケット３６０，３６０’は、振動板３１２，３１４と一体的に形成される。
【００４７】
[0055]ラウドスピーカ装置３００のモータ３３０，３３０’は、複数対で配置され、モータ３３０，３３０’の各対の巻型３３６は、ブラケット３６０，３６０’の１つに接続される。モータ３３０，３３０’の対は、フレーム３１６の周りに交互に配置されている。図３Ａおよび３Ｂに示すように、それぞれの振動板３１２，３１４に対して２対のモータ３３０，３３０’が設けられる。共通ブラケット３６０，３６０’を共有するモータ３３０，３３０’対を配置することで、振動板３１２，３１４の移動効率が向上し得る。さらに、各振動板の４つのモータが振動板の周りに等間隔でありしたがってブラケットが４つ必要となる配置と比較して、ブラケット３６０，３６０’の質量が低減し得る。
【００４８】
[0056]ラウドスピーカ装置３００は、図３Ａおよび３Ｂに示すように、複数の磁石３３２，３３２’を備えたモータ３３０，３３０’を使用する。各モータ３３０，３３０’は、ボイスコイル３３４，３３４’、したがって振動板３１２，３１４の振幅を増加させるように配置された２つの磁石３３２，３３２’を備える。
【００４９】
[0057]本開示の態様が上記の実施形態を参照して具体的に説明されたが、請求項に記載の本開示の範囲から逸脱することなく開示された装置を変更することにより、様々な追加の実施形態に想到できることが当業者に理解されよう。
【図１Ａ】
2021501506.tif 000003
【図１Ｂ】
2021501506.tif 000004
【図２Ａ】
2021501506.tif 000005
【図２Ｂ】
2021501506.tif 000006
【図２Ｃ】
2021501506.tif 000007
【図３Ａ】
2021501506.tif 000008
【図３Ｂ】
2021501506.tif 000009
【図４Ａ】
2021501506.tif 000010
【図４Ｂ】
2021501506.tif 000011
【国際調査報告】
2021501506.tif 000012
2021501506.tif 000013